(57)【要約】【課題】人の頭部の鱗状縫合における側頭骨のズレを、簡単容易に矯正可能とした指圧代用具を提供する。【解決手段】内部が中空のパイプ状に形成した本体１０の一端部に握持体２０を取付け、またその頭部３２が本体内に収容され、且つ指圧操作部３１が本体の他端部から外方に突出した形状の押圧軸３０を備えるとともに、ボルト体４０とコイルバネ５０を用いた作動機構を設けて成る側頭骨矯正用の指圧代用具であって、前記した指圧操作部３１に、頭皮を押圧するための庇部３１Ａと、側頭骨を押圧するための窪み部３１Ｂを形成するとともに、前記ボルト体４０とコイルバネ５０と押圧軸３０を密接状に連設して構成する。【選択図】図１
2020182761.tif 000002
【特許請求の範囲】
【請求項１】
内部が中空のパイプ状に形成された本体と、その本体の一端部に取付けられた握持体と、本体内に収容された頭部と本体外に突設された指圧操作部とを備え、且つその断面が略Ｔ字状に設けられた形状の押圧軸と、ボルト体とコイルバネを用いた作動機構とにより形成された指圧代用具であって、前記した指圧操作部に相対向状の傾斜面を形成するとともに、一方の傾斜面の前半部位を直角状に切除して、該指圧操作部の先端に庇部と窪み部を設けた構成を特徴とする側頭骨矯正用の指圧代用具。
【請求項２】
上記した作動機構におけるボルト体と前記押圧軸の頭部にそれぞれ切欠溝を形成するとともに、コイルバネの両端部をほぼ直角状に折り曲げ、そのコイルバネの両端部をボルト体と押圧軸の切欠溝にそれぞれ挿入し、ボルト体とコイルバネと押圧軸を密接状に連設して構成したことを特徴とする請求項１に記載の側頭骨矯正用の指圧代用具。
【発明の詳細な説明】
【技術分野】
【０００１】  本発明は、人の側頭骨と頭頂骨の関節面（この部位を一般的に鱗状縫合と称している）における側頭骨の後方へのズレを矯正する施術行為を、人の手指によって行う指圧に代えて、器具を用いて行うようにした指圧代用具に係るものであり、さらに詳しくは、頭皮と側頭骨に対して同時に押圧力を加えることにより、側頭骨を正常位置に容易に復帰させることを可能にした側頭骨矯正用の指圧代用具に関するものである。
【背景技術】
【０００２】  従来、人体深部のこりや痛みを緩和するために、先端が丸棒状に形成された押圧軸を用いて、患者の治療対象部位に押圧力を加えるように構成した人体各部の押圧具を、本出願人が先に提案している（特許文献１参照）。【０００３】  しかしながら、上記した特許文献１の人体各部の押圧具は、人体各部のこりや痛みを緩和することを目的として開発されたもので、鱗状縫合における側頭骨のズレを矯正することを目的とするものではないので、先端部が平面状に形成されたこの押圧具を用いた場合には、充分な矯正効果が得られないという欠点があった。【０００４】  また、上記した特許文献１の人体各部の押圧具には、本体内に収容したボルト体とコイルバネと押圧軸の間に、押圧軸が左右方向へ回動したり、傾斜したりすることを防止する手段が講じられていなかったので、使用中の押圧軸が不安定になり易いという不具合もあった。
【先行技術文献】
【特許文献】
【０００５】
【特許文献１】実用新案登録第３１９１３４０号公報
【発明の概要】
【発明が解決しようとする課題】
【０００６】  そこで本発明者は、上記した人体各部の押圧軸の欠点や不具合を改良し、頭皮に押圧力を加える箇所と側頭骨に押圧力を加える箇所を押圧軸の先端部に設けて、鱗状縫合における側頭骨のズレを容易に矯正可能とするとともに、本体内に収容した各部材を密接状に連設して、使用中の押圧軸が、左右方向へ予期せぬ回動をしたり、または傾斜したりすることを防止するように構成した側頭骨矯正用の指圧代用具を提供しようとするものである。
【課題を解決するための手段】
【０００７】  上記した課題を解決するために、本発明は以下のような手段を講ずるものである。
すなわち請求項１に記載の本発明は、内部が中空のパイプ状に形成された本体と、その本体の一端部に取付けられた握持体と、本体内に収容された頭部と本体外に突設され指圧操作部とを備え、且つその断面が略Ｔ字状に設けられた形状の押圧軸と、ボルト体とコイルバネを用いた作動機構とにより形成された指圧代用具であって、前記した指圧操作部に相対向状の傾斜面を形成するとともに、一方の傾斜面の前半部位を直角状に切除して、該指圧操作部の先端に庇部と窪み部を設けた構成を特徴とする側頭骨矯正用の指圧代用具である。【０００８】  また請求項２に記載の本発明は、上記した作動機構におけるボルト体と前記押圧軸の頭部にそれぞれ切欠溝を形成するとともに、コイルバネの両端部をほぼ直角状に折り曲げ、そのコイルバネの両端部をボルト体と押圧軸の切欠溝にそれぞれ挿入し、ボルト体とコイルバネと押圧軸を密接状に連設して構成したことを特徴とする側頭骨矯正用の指圧代用具である。【０００９】  上記のように形成された本発明は、以下のような形態で使用されるものであるが、基本的には、指圧操作部における庇部が上方に位置し、且つ窪み部が下方に位置するように、指圧代用具を横に倒して使用するものである。
この場合に、庇部の前端下縁に形成された細長線状の頭皮当接辺を頭皮に押し当てると同時に、窪み部の後壁下縁に形成された細長線状の側頭骨当接辺を、後方へズレた状態の側頭骨に押し当て、横方向に倒した押圧軸を用いて圧力を加えるようにすると、側頭骨のズレが矯正されて、側頭骨を正常な位置に戻すことができるようになっている。
【発明の効果】
【００１０】  本発明に成る側頭骨矯正用の指圧代用具は、頭皮と側頭骨の２か所を同時に押圧するように形成されているので、人の手指による指圧に代わって、正確且つ簡易に側頭骨のズレを矯正することができるという特筆すべき効果を奏するものである。【００１１】  また本発明では、押圧軸が使用中に予期せぬ左右方向へ回動したり、傾斜したりすることを防止する構造になっているので、押圧力が拡散されるようなことがなく、効果的および効率的な側頭骨の矯正を行うことができるという利点がある。【００１２】  なお、側頭骨が後方にズレることによって、蝶形骨、頬骨、上顎骨がズレ易く、顔のバランスが非対称となって顔の歪みが発生し易くなるが、本発明の指圧代用具の使用によって側頭骨を容易に矯正することができるので、顔の左右差を減少することができるとともに、頭痛や三叉神経痛、メニエル病、目の疲れ、肩や首のこりなどを効果的に解消することができ、さらには血液やリンパの流れを改善して美肌効果も実現することができるという利点がある。
【図面の簡単な説明】
【００１３】
【図１】本発明の側頭骨矯正用の指圧代用具の正面図である。
【図２】握持体の形状を示す正面図である。
【図３】本体内に収容される作動機構を示す分解説明図である。
【図４】指圧操作部の形状を示すもので、（イ）は正面図、（ロ）は右側面図、（ハ）は左側面図、（ニ）は庇部が上方に位置するように設定した底面図である。
【図５】本発明の側頭骨矯正用の指圧代用具の断面図である。
【図６】本発明の使用方法を説明する拡大模式図である。
【発明を実施するための形態】
【００１４】  以下に、本発明の実施形態を図面に基づいて説明するが、本発明の側頭骨矯正用の指圧代用具は、本体１０と、握持体２０と、押圧軸３０を主たる構成材とするとともに、ボルト体４０とコイルバネ５０を用いて成る作動機構を備えて構成されるものである。
【００１５】  本体１０は金属を用いて形成されたもので、図１および図５に示すように、その内部が中空のパイプ状に設けられたものである。該本体１０の一端部には、後述する握持部２０が取付けられる構造となっており、且つその他端部には押圧軸挿通部１１が設けられているが、該押圧軸挿通部１１は、後述する押圧軸３０が遊嵌可能な内径を存して形成されたものである。なお該本体１０の内壁に、後述するボルト体４０の雄螺子４３と螺合する雌螺子１２が刻設されている。
【００１６】  握持体２０は、図１および図２に示すように、主たる部分が合成樹脂を用いてほぼ球状に形成されたもので、該握持体２０の下部には、本体１０の内部に収容される金属製の挿入部２２と、リング状の鍔部２１が設けられている。この挿入部２２は、本体１０における幅広状の一端部（図１および図５における上端部）から握持体保持部１３内に収容されて、ロックタイトで取付けられる部位であり、鍔部２１は、本体１０の幅広状の一端部に握持体２０を衝止する役目を担うものである。
【００１７】  押圧軸３０は、図３および図５に示すように、金属の丸棒体を用いて断面が略Ｔ字状に設けられたもので、主として、本体１０の内部に収容される頭部３２と、本体１０より外方へ突設される指圧操作部３１を備えており、図１における上下方向に回動可能に構成されている。
【００１８】  前記した頭部３２の上面には、図３に示すように、後述するコイルバネ５０の下端部を保持する小さな台状のバネ保持部３３が形成されており、また該頭部３２の上半部には、コイルバネ５０に形成されたバネ先端部５２を挿入保持するための切欠溝３４が刻設されている。
【００１９】  次に、図４を参照しながら、押圧軸３０の端部に形成された指圧操作部３１について説明する。
指圧操作部３１は、その先端部を段状に形成して成るもので、押圧軸３０の先端に向けて図４（ロ）に示すような相対向状の傾斜面を両側部に形成するとともに、図４（イ）および図４（ハ）に示すように、その一方の傾斜面の前半部をほぼ直角状に切除して形成されたものである。指圧操作部３１をこのような段状に形成した結果、図４（イ）に示すように、前方に突出した形状の庇部３１Ａと、その庇部３１Ａの下方に位置する窪み部３１Ｂが形成された形状となっている。この場合の庇部３１Ａの先端部と窪み部３１Ｂの後壁は、図４（ニ）の底面図に示すように、それぞれ幅狭状の略長方形状に形成されており、この庇部３１Ａの先端部における細長線状の下縁が、頭皮を押圧する役目を担う頭皮当接辺３１Ｃとなり、また窪み部３１Ｂの後壁における細長線状の下縁が、側頭骨を押圧する役目を担う側頭骨当接辺３１Ｄとなるのである。
【００２０】  続いて、図３に基いてボルト体４０とコイルバネ５０と押圧軸３０の三者を、左右方向への回動および傾斜を防止すべく密接状に連設した形状の作動機構について説明する。
ボルト体４０には、その下部位置にバネ衝止部４１が設けられており、またその側面には、前記本体１０の内壁面の雌螺子１２と螺合する雄螺子４３が刻設されており、さらには該ボルト体４０の下端部から上方に向けて、コイルバネの先端部５１を挿入保持するための切欠溝４２が形成されている。
【００２１】  コイルバネ５０は、スプリングなどと称されているようなごく一般的なバネであるが、その上端部と下端部が直角状に折り曲げられていて、一方のバネ先端部５１を介してボルト体４０と密接状に配置され、また他方のバネ先端部５２を介して押圧軸３０と密接状に配置される構造になっている。
【００２２】  以上のように設けられた各構成材は、図５の断面図に示すように、パイプ状に形成された本体内に、握持体２０の挿入部２２、ボルト体４０、コイルバネ５０、押圧軸３０の上半部の順序でそれぞれ収容されているのである。なお、図５においては、切欠溝３４および切欠溝４２が、それぞれ右端側に配置された形態で表示されているが、実際の使用時には、図３および図４（ロ）で示した指圧操作部の部位が、庇部３１Ａとなって上方に位置するように設定されるので、両切欠溝も上方に位置した状態で使用されるものである。
【００２３】  次に、図６の模式図を参照して、本発明の指圧代用具の使用方法について説明する。
図６は、頭頂骨Ｔ３の上面に、後方へ位置ズレした側頭骨Ｔ２が重なっており、その上面を頭皮Ｔ１が覆っている状態を示しており、この側頭骨Ｔ２のズレを矯正する場合を想定したものである。
まず、庇部３１Ａが上方に位置し、且つ窪み部３１Ｂが下方に位置するように、本発明に成る指圧代用具をほぼ横に倒した状態に設定する。次に、頭皮Ｔ１の遊びを取りながら庇部３１Ａにおける前端下縁の頭皮当接辺３１Ｃを頭皮に当接すると同時に、窪み部３１Ｂの後壁下縁の側頭骨当接辺３１Ｄを側頭骨Ｔ２に当接させる。続いて、矢印で示すように、押圧軸３０に圧力を加えるようにすると、側頭骨Ｔ２が移動して元の正常位置に戻るようになっているのである。
【００２４】  なお、本発明においては、指圧操作部３１を段状に形成した例を示したが、指圧操作部３１の形状を、その端部の両側面が図４（ロ）のような相対向する傾斜状となるように形成して、段なしの平型指圧代用具とすることも可能である。
【００２５】  本発明は以上のように構成されており、本体１０から外方に突設された押圧軸３０の指圧操作部３１を用いて、頭皮と側頭骨に対して同時に押圧力を加えるようになっているので、側頭骨の後方へのズレを簡単容易に矯正することが可能となったのである。また本体１０の内部に収容された作動機構の働きによって、使用中の押圧軸が予期せぬ左右方向に回動したり、傾斜して不安定になることがなく、安定した状態で施術行為を行うことができるものである。
【符号の説明】
【００２６】  １０  本体
１１  押圧軸挿通部
２０  握持体
３０  押圧軸
３１  指圧操作部
３１Ａ  庇部
３１Ｂ  窪み部
３１Ｃ  頭皮当接辺
３１Ｄ  側頭骨当接辺
３２  押圧軸の頭部
３４  押圧軸の切欠溝
４０  ボルト体
４２  ボルト体の切欠溝
５０  コイルバネ
【図１】
2020182761.tif 000003
【図２】
2020182761.tif 000004
【図３】
2020182761.tif 000005
【図４】
2020182761.tif 000006
【図５】
2020182761.tif 000007
【図６】
2020182761.tif 000008